(57)【特許請求の範囲】
【請求項１】
遊技領域を備え、該遊技領域の外側に遊技機を特定する情報を示す表示が施される遊技盤と、前記遊技盤を保持する遊技機本体と、遊技機本体の前面下部に設けられ、遊技領域を流下する遊技球が入賞することで払い出される遊技球を受容する受け皿を備えた下部ユニットと、を有する遊技機において、
前記下部ユニットに、前記遊技機を特定する情報を示す表示を視認可能な窓を形成し、
前記遊技盤に、前記遊技機を特定する情報が施される表示面を備えた表示部材を設け、
前記遊技盤を遊技機本体に組み付けたときに、前記表示部材の表示面が前記下部ユニットに形成された窓の裏側に位置することで、前記遊技機を特定する情報が前記窓から視認可能となるとともに、
前記表示部材は、前記表示面が遊技盤の遊技領域が形成された面側に配置される表示位置と、前記表示面が表示位置から退避する退避位置との間で回動自在となるように、前記遊技盤に設けられており、
前記表示部材又は遊技盤のいずれか一方に係止片を、その他方に前記係止片と係合する係合部を設け、前記係止片と係合部との係合によって前記表示部材が前記退避位置に保持されることを特徴とする遊技機。
【請求項２】
前記表示部材が前記退避位置に保持されたときに、前記表示面が前記遊技盤と対面することを特徴とする請求項１記載の遊技機。
【発明の詳細な説明】
【技術分野】
【０００１】
本発明は、パチンコ店などの遊技場に設置される例えばパチンコ機などの遊技機に関するものである。
【背景技術】
【０００２】
パチンコ店などの遊技場に設置して使用されるパチンコ機は、例えばパチンコ球を使用した遊技を行い、パチンコ機の遊技領域に設けられた例えば入賞チャッカーや始動チャッカー、或いはアタッカなどの入賞装置に入賞することで、入賞に対するパチンコ球の払い出しが行われる。
【０００３】
このようなパチンコ機を遊技場に設置するには、パチンコ機を検査する保安電子通信技術協会（以下、保通協）で検査を受ける必要があり、この検査に合格した時には、遊技機の業界組合に所属していることを示す許諾証や、特許の許諾証等の証紙を貼ることが義務づけられている。この証紙は、パチンコ店にパチンコ機が設置されたときに、設置されたパチンコ機が予め登録されたものであるか否か、また検査を合格したものであるか等を確認できるように、パチンコ機の前面から視認できる位置に貼り付けられる。
【０００４】
例えば遊技領域が設けられた遊技盤の裏面に、遊技における制御を行う遊技制御回路が組み付けられた構成となっていることから、上述した証紙は遊技盤に貼り付けられていることが多い。例えば遊技機本体に遊技盤を取り付ける構成の場合、遊技盤の取り付けの際に用いられる取付部材を被覆するカバーを遊技盤に設け、このカバーに証紙を貼り付けたものが提供されている（特許文献１）。この場合、遊技領域を視認する窓から証紙を視認することが可能となる。
【特許文献１】特許第３７２４７２２号公報
【発明の開示】
【発明が解決しようとする課題】
【０００５】
このようなパチンコ機に用いられる遊技盤の遊技領域には、上述した入賞装置の他に、例えば始動チャッカーにパチンコ球が入賞したときに図柄の可変表示を行う表示装置が組み込まれたセンター役物と呼ばれる構造物などが組み付けられているものが一般的である。最近では、表示画面が大きい表示装置が使用される傾向にあり、センター役物も大型化される傾向にある。このようにセンター役物が大型化されることで、遊技領域におけるパチンコ球の流下領域が狭くなることから、遊技領域も大きくすることが望まれる。しかしながら、遊技領域を大きくすると、それに伴ってレール飾りの大きさを小さくする必要がある。例えばレール飾りを小さくすると、取付部材を被覆するカバーも小さくなることから、上述した証紙をカバーに貼り付けることは難しくなる、つまり遊技盤に証紙を貼付することが困難である。
【０００６】
本発明は、上記課題を解決するためになされたものであり、遊技領域を拡大した場合でも、遊技盤に証紙を貼り付けることができるようにした遊技機を提供することを目的とする。
【課題を解決するための手段】
【０００７】
上記目的を達成するために、本発明の遊技機は、遊技領域を備え、該遊技領域の外側に遊技機を特定する情報を示す表示が施される遊技盤と、前記遊技盤を保持する遊技機本体と、遊技機本体の前面下部に設けられ、遊技領域を流下する遊技球が入賞することで払い出される遊技球を受容する受け皿を備えた下部ユニットと、を有する遊技機において、前記下部ユニットに、前記遊技機を特定する情報を示す表示を視認可能な窓を形成し、前記遊技盤に、前記遊技機を特定する情報が施される表示面を備えた表示部材を設け、前記遊技盤を遊技機本体に組み付けたときに、前記表示部材の表示面が前記下部ユニットに形成された窓の裏側に位置することで、前記遊技機を特定する情報が前記窓から視認可能となるとともに、前記表示部材は、前記表示面が遊技盤の遊技領域が形成された面側に配置される表示位置と、前記表示面が表示位置から退避する退避位置との間で回動自在となるように、前記遊技盤に設けられており、前記表示部材又は遊技盤のいずれか一方に係止片を、その他方に前記係止片と係合する係合部を設け、前記係止片と係合部との係合によって前記表示部材が前記退避位置に保持されることを特徴とする。
【００１０】
また、前記表示部材が前記退避位置に保持されたときに、前記表示面が前記遊技盤と対面することを特徴とする。
【発明の効果】
【００１１】
本発明の遊技機によれば、遊技領域を備え、該遊技領域の外側に遊技機を特定する情報を示す表示が施される遊技盤と、前記遊技盤を保持する遊技機本体と、遊技機本体の前面下部に設けられ、遊技領域を流下する遊技球が入賞することで払い出される遊技球を受容する受け皿を備えた下部ユニットと、を有する遊技機において、前記下部ユニットに、前記遊技機を特定する情報を示す表示を視認可能な窓を形成したから、従来では、証紙など遊技機を特定する情報を示す表示は遊技盤の遊技領域外に貼付されることで、証紙などを貼り付けるスペースを確保する分、遊技領域を拡大することができなかったが、このような表示を下部ユニットに設けられた窓を介して視認させる、つまり表示位置を遊技盤面から異なる位置にすることができるので、遊技盤に設けられる遊技領域を拡大することができる。
【００１２】
また、前記遊技盤に、前記遊技機を特定する情報が施される表示面を備えた表示部材を設け、前記遊技盤を遊技機本体に組み付けたときに、前記表示部材の表示面が前記下部ユニットに形成された窓の裏側に位置することで、前記遊技機を特定する情報が前記窓から視認可能となるから、このような表示の位置を遊技盤面から切り離すことで、遊技盤に設けられる遊技領域を拡大することができる。なお、遊技盤とは、通常チャッカー、始動チャッカー、及びアタッカなどの入賞装置や、センター役物、障害釘などが組み付けられた遊技盤単体の他に、ガイドレールが組み付けられた遊技盤と、遊技制御回路等が組み付けられた機構盤とからなる遊技板ユニットや、遊技盤に、遊技領域を規定するレール飾り枠と、遊技制御回路等が組み付けられた機構盤とが組み付けられる遊技盤ユニットを含むものである。
【００１３】
また、前記表示部材は、前記表示面が遊技盤の遊技領域が形成された面側に配置される表示位置と、前記表示面が表示位置から退避する退避位置との間で回動自在となるように、前記遊技盤に設けられており、前記表示部材又は遊技盤のいずれか一方に係止片を、その他方に前記係止片と係合する係合部を設け、前記係止片と係合部との係合によって前記表示部材が前記退避位置に保持されるから、例えば遊技盤を運搬するときには、表示部材を表示位置から退避させた上で運搬することになる。これにより、表示部材の破損による証紙の紛失を防止することができる。
【００１４】
また、前記表示部材が前記退避位置に保持されたときに、前記表示面が前記遊技盤と対面するから、遊技盤の運搬時に証紙の破れや証紙の剥がれ等を防止することができる。
【発明を実施するための最良の形態】
【００１５】
図１は、本発明が実施されたパチンコ機の外観を示す斜視図、図２は、前面扉を開いた状態を示す斜視図である。このパチンコ機（遊技機）２は、基体となる本体部材（遊技機本体）３と、この本体部材３の前面上部に組み付けられる回動自在な前面扉ユニット４と、本体部材３の前面下部に組み付けられる下部ユニット５とから構成される。前面扉ユニット４は、その中央が開口された枠部１０と、この枠部１０の裏面側に組み付けられ、開口１０ａを遮蔽するガラス部１１とから構成されている。なお、前面扉ユニット４が閉じている状態では、遊技の際に遊技領域４５（図２参照）を流下する遊技球や、遊技領域４５に設けられた構造物は、上記開口１０ａを遮蔽するガラス部１１を介して視認される。なお、符号１５は、本体部材３を遊技場等に固定するための固定枠である。
【００１６】
下部ユニット５は、供給皿（受け皿）２０、装飾パネル２１、操作ハンドル２２を備えている。供給皿２０は、遊技を開始する場合や、遊技領域４５を流下する遊技球が、遊技領域４５に設けられた入賞装置のいずれかに入賞したときに払い出される遊技球を受容する。なお、符号２３は払出し口であり、この払出し口２３を介して遊技球が払い出される。装飾パネル２１は、パチンコ機２のイメージを示すキャラクターやデザイン、或いは文字などが施されている。
【００１７】
操作ハンドル２２は、遊技を行う際に操作される。この操作ハンドル２２を操作すると図示しない発射装置が駆動し、遊技球の打ち出しが開始される。なお、発射装置における遊技球の打ち出し強さは、操作ハンドル２２の操作量に応じて変化する。また、下部ユニット５であって、操作ハンドル２２の上方となる箇所には、後述する証紙７０を視認するための窓２５が設けられている。この窓２５は、ガラスなどの透光性を有する部材によって遮蔽されている。
【００１８】
図３に示すように、本体部材３には、上述した前面扉ユニット４や、下部ユニット５の他に、遊技盤ユニット３０や、発射装置（図示省略）、払い出し装置（図示省略）等が組み付けられている。遊技盤ユニット３０は、本体部材３に設けられた組み付け空間部３ａに組み付けられる。なお、符号３ｂは、後述する証紙台６０が収納される収納部である。
【００１９】
遊技盤ユニット（遊技盤）３０は、詳細は図示しないが、遊技盤３１、レール飾り枠３２及び裏機構盤（図示せず）から構成され、遊技盤３１の前方からレール飾り枠３２が、遊技盤３１の後方から裏機構盤がそれぞれ組み付けられる。遊技盤３１には、その略中央に、センター役物３５と呼ばれる構造物が設けられている。このセンター役物３５の略中央からは、図柄表示装置の表示画面３６が露呈されている。このセンター役物３５の周縁部には、障害釘や、風車などの構造物が配設されている。また、この他に、遊技盤３１には、始動チャッカー３７、入賞チャッカー３８等の入賞装置等の構造物が配設されている。なお、これら入賞装置については周知であるので、その詳細については省略する。また、遊技盤３１には、これら入賞装置の他に、アタッカ３９と呼ばれる入賞装置が配設されている。アタッカ３９は、例えば始動チャッカー３７に遊技球が入賞したときに行われる移行抽選で大当たりとなる場合に、開閉動作が行われる。なお、符号４０はアウト口である。
【００２０】
レール飾り枠３２は、中央が略楕円状に開口された枠形状から構成され、遊技盤３１の前方、つまりセンター役物３５等の構造物や入賞装置が組み付けられる面側から遊技盤３１に組み付けられる。このレール飾り枠３２を遊技盤３１に組み付けることで、レール飾り枠３２の開口された部分が遊技領域４５として規定される。このレール飾り枠３２の図３中右下端部には、証紙台６０が回動自在に組み付けられる。
【００２１】
図４に示すように、レール飾り枠３２の右下端部には軸受け部５０が設けられている。この軸受け部５０は、その中心に、連結棒６４の直径と同一径、或いは直径よりも若干大きい直径からなる軸受け孔５１と、連結棒を挿入させるための挿入部５２とから構成されている。この挿入部５２は、軸受け孔５１の直径よりも狭い幅から構成されており、軸受け孔５１に挿入された連結棒６４の逸脱を防止する。
【００２２】
レール飾り枠３２の下端縁部であって、軸受け部５０の両端部は切り欠かれており、この切り欠かれた部分（以下、切り欠き部）５５，５６には、証紙台６０の回動片６２，６３の上端部がそれぞれ挿入される。これら切り欠き部５５，５６を設けることで、証紙台６０が回動したときに、証紙台６０の回動片６２，６３がレール飾り枠３２に接触し、その回動が禁止されることが防止される。
【００２３】
上述したように、証紙台（表示部材）６０は、本体部材３に設けられた収納部３ｂに収納される。この証紙台６０は、台本体６１、回動片６２，６３、連結棒６４及び係止片６５から構成される。台本体６１は略方形状から構成され、その前面が、証紙７０が貼付される証紙貼付面（表示面）６１ａとなる。なお、証紙７０は例えば保通協による検査で合格したことを示すものであり、例えばパチンコ機の製造番号や、検査時の合格を示す情報など、パチンコ機を特定する情報などの表示が施されている。
【００２４】
回動片６２は、台本体６１の上面６１ｂから上方に向けて突出する突片６２ａと、この突片６２ａの上端部から台本体６１の証紙貼付面６１ａ側に延びる突片６２ｂとが組み合わされた略Ｌ字状の平板から構成される。回動片６３も、同様の形状からなるので、ここではその詳細を省略する。回動片６２の突片６２ｂと、回動片６３の突片６３ｂとは連結棒６４が一体に設けられている。連結棒６４は、レール飾り枠３２の下端部に設けられた軸受け部５０に軸着されることで、証紙台６０の回動中心となる。
【００２５】
係止片６５は、台本体６１の側面６１ｃから突出し、その先端が台本体６１の証紙貼付面６１ａ側に折り曲げられた形状から構成されている。この係止片６５の先端部には係止突起６５ａが設けられている。この係止突起６５ａは、証紙台６０をレール飾り枠３２の前面に向けて（図５中Ａ方向に）回動させたときに、レール飾り枠３２ａに設けられた係合孔（係合部）３２ｂに挿入されることで係合され、証紙台６０を保持する。このとき、証紙台６０の証紙貼付面６１ａは、レール飾り枠３２の前面３２ａに対面した状態で保持される（図６参照）。以下では、このときの証紙台６０の位置を退避位置として説明する。
【００２６】
また、例えば遊技盤ユニット３０を本体部材３に組み付ける場合、係止片６５の先端側を図５中Ｂ方向に押圧し係合片６５を歪ませることで係合突起５ａと係合孔３２ｂとの係合が解除され、証紙台６０を図５中Ｃ方向に回動させることが可能となる。このとき、証紙台６０は、その証紙貼付面６１ａがレール飾り枠３２の前面３２ａと平行となる状態で保持される。以下では、このときの証紙台６０の位置を表示位置として説明する。
【００２７】
次に本実施形態の作用について説明する。レール飾り枠３２に証紙７０が貼り付けられた証紙台６０を組み付ける。このとき、証紙台６０の連結棒６４を挿通部５２に押し込むことで軸受け孔５１に連結棒６４が挿入される。なお、挿通部５２の幅は、軸受孔５１の直径よりも狭い幅からなるので、連結棒６４が軸受孔５１に挿入された状態で保持される（図５参照）。この状態では、証紙台６０は、連結棒６４を中心にして回動することになるから、証紙台６０を図５中Ａ方向に回動させ、証紙台６０の証紙貼付面６１ａをレール飾り枠３２の前面３２ａと対面させる。この回動の際に、証紙台６０の係止片６５が、レール飾り枠３２の係合孔３２ｂに挿通され、係止突起６５ａと係合孔３２ｂとが係合される。これにより、図６に示すように、証紙台６０が退避位置で保持される。
【００２８】
証紙台６０が退避位置で保持されたレール飾り枠３２を、入賞チャッカー３８、始動チャッカー３７、アタッカ３９等の入賞装置や、センター役物３５などの構造物が組み付けられた遊技盤３１の前方より組み付け、裏機構盤を遊技盤３１の後方より組み付けることで、遊技盤ユニット３０が完成する。なお、遊技盤ユニット３０が完成したときには、証紙台６０が退避位置に保持されているので、例えば遊技盤ユニット３０を搬送する過程で、証紙台６０の破損を防止することができる。また、証紙台６０が退避位置にある場合、証紙７０が貼付された証紙貼付面６１ａがレール飾り枠３２の前面３２ａと対面した状態にあるから、搬送時に他の部品などによって擦り切れる等、証紙７０の破損を防止することができる。
【００２９】
完成した遊技盤ユニット３０を本体部材３に組み付ける場合、係止片６５を図６中Ｂ方向に押圧し、係止突起６５ａと係合孔３２ｂとの係合を解除し、証紙台６０を退避位置から表示位置へと（図６中Ｃ方向に）回動させる。なお、証紙台６０を退避位置から表示位置へと回動させる過程で証紙台６０から手を離した場合でも、証紙台６０はその自重によって表示位置まで回動する。この状態で、証紙台６０を本体部材３に設けられた収納部３ｂに収納し、また、遊技盤ユニット３０を本体部材３の組み付け空間部３ａに組み付ける。
【００３０】
遊技盤ユニット３０を本体部材３に対して組み付ける際に、証紙台６０は収納部３ｂに収納されることになるが、下部ユニット５を本体部材３に組み付ける構成によって下部ユニット５を本体部材３に組み付ける過程は異なる。本実施形態の場合には、下部ユニット５が本体部材３に対して回動しないので、遊技盤ユニット３０を組み付けた後に下部ユニット５を組み付ける。これにより、下部ユニット５を本体部材３に組み付けると、証紙７０が下部ユニット５の窓２５の背面に位置することになり、窓２５を介して証紙７０を視認することが可能となる。
【００３１】
本実施形態では、下部ユニットは本体部材に対して例えば回動しない（移動しない）ように組み付けられる構成であるが、下部ユニットが本体部材に対して回動する場合もある。この場合、先に下部ユニットを本体部材に組み付け、下部ユニットを開いた状態で保持する。また、証紙台６０が収納される収納部３ｂを、前面が開口された収納部とする。この場合、表示位置にある証紙台６０を収納部３ｂに収納した後、遊技盤ユニットを本体部材に組み付け、最後に下部ユニットを閉じるようにする、或いは証紙台が退避位置に保持された状態で、遊技盤ユニットを本体部材に組み付けた後、証紙台を退避位置から表示位置に移動させて証紙台を収納部に収納し、最後に下部ユニットを閉じるようにする。
【００３２】
本実施形態では、証紙台をレール飾り枠に対して回動自在となるように組み付けた実施形態としているが、これに限定する必要はなく、例えば遊技盤に組み付けることも可能である。
【００３３】
本実施形態では、証紙台は、レール飾り枠の前面に向けて回動する実施形態としているが、これに限定する必要はなく、例えば遊技盤の裏面に向けて回動させることも可能である。この場合、例えば裏機構盤に係止片が挿通される開口を設ける必要がある。
【図面の簡単な説明】
【００３４】
【図１】本発明のパチンコ機の外観を示す斜視図である。
【図２】前面扉ユニットを開放したときの本体部材の構成を示す斜視図である。
【図３】遊技盤ユニットと、本体部材とを分解して示す斜視図である。
【図４】証紙台と、レール飾り枠に設けられる軸受け部との構成を分解して示す斜視図である。
【図５】図３に示す領域Ｘを拡大して示す斜視図であって、表示位置にある証紙台を示す斜視図である。
【図６】図３に示す領域Ｘを拡大して示す斜視図であって、退避位置にある証紙台を示す斜視図である。
【符号の説明】
【００３５】
２  パチンコ機（遊技機）
３  本体部材（遊技機本体）
５  下部ユニット
２０  供給皿（受け皿）
２５  窓
３０  遊技盤ユニット（遊技盤）
３１  遊技盤
３２  レール飾り枠
３２ｂ  係合孔（係合部）
４５  遊技領域
６０  証紙台（表示部材）
６１ａ  証紙貼付面（表示面）
６５  係止片
７０  証紙
【図１】
0004699281.tif 000002
【図２】
0004699281.tif 000003
【図３】
0004699281.tif 000004
【図４】
0004699281.tif 000005
【図５】
0004699281.tif 000006
【図６】
0004699281.tif 000007